(57)【特許請求の範囲】
【請求項１】
開口を有する装置本体と、
記録材への画像形成を行う画像形成部と、
前記装置本体に対して開閉可能に設けられ、当該装置本体に対して閉じられる際に移動する移動部分を有し、前記開口を塞ぐ開閉部材と、
記録材の搬送に用いられ、前記開口側に位置する開口側回転部材と当該開口側回転部材を挟み当該開口とは反対側に位置する反対側回転部材とにより構成された一対の回転部材であって、離間可能にあるいは接触圧を低下させることができるように設けられた一対の回転部材と、
回転軸を中心に回転可能に設けられ、閉じられる前記開閉部材に設けられた前記移動部分の接触部が接触して当該接触部により押圧されるとともに当該接触部が接触する際の当該接触部の移動方向に対して傾斜して配置された被押圧面を有し、当該被押圧面にて当該移動部分から受けた荷重を用い、少なくとも一方の回転部材を移動させ、離間した前記一対の回転部材を接触させあるいは当該一対の回転部材の接触圧を高める回転部材移動手段と、
を備え、
前記開閉部材が閉じられる際における、前記被押圧面および前記回転軸の位置であって、前記反対側回転部材の軸心と前記開口側回転部材の軸心とを通る平面が延びる方向における当該位置を比べた場合に、当該回転軸よりも前記開口から離れた側に当該被押圧面が位置し、
前記回転部材移動手段の上面に、前記被押圧面が設けられている画像形成装置。
【請求項２】
前記一対の回転部材のうちの一方の回転部材は、前記回転軸を中心として揺動可能に設けられ、
前記回転部材移動手段は、前記回転軸を中心として前記一方の回転部材を移動させて、離間した前記一対の回転部材を接触させあるいは前記接触圧を高めることを特徴とする請求項１に記載の画像形成装置。
【請求項３】
前記回転部材移動手段は、前記開閉部材の開動作がなされる際には、当該開閉部材側から駆動力を受け、少なくとも一方の前記回転部材を移動させて、前記一対の回転部材を離間させあるいは前記接触圧を低下させることを特徴とする請求項１又は２に記載の画像形成装置。
【請求項４】
前記回転部材移動手段には、前記開閉部材の開動作がなされる際に当該開閉部材により一方向へ押圧される被押圧部材が設けられ、当該回転部材移動手段は、当該開閉部材の開動作がなされる際、当該被押圧部材にて前記駆動力を受け、
前記被押圧部材は、前記一方向とは反対方向へ押圧された際に当該反対方向へ倒れるように変位可能に設けられていることを特徴とする請求項３に記載の画像形成装置。
【請求項５】
開口を有する装置本体と、
記録材への画像形成を行う画像形成部と、
前記装置本体に対して開閉可能に設けられ、当該装置本体に対して閉じられる際に移動する移動部分を有し、前記開口を塞ぐ開閉部材と、
記録材の搬送に用いられ、前記開口側に位置する開口側回転部材と当該開口側回転部材を挟み当該開口とは反対側に位置する反対側回転部材とにより構成された一対の回転部材であって、離間可能にあるいは接触圧を低下させることができるように設けられた一対の回転部材と、
回転軸を中心に回転可能に設けられ、前記一対の回転部材のうちの一方の回転部材を支持し、開かれた前記開閉部材が閉じられるのに伴い移動する前記移動部分により被押圧部が押圧されて回転し、当該一方の回転部材を他方の回転部材に接触させあるいは当該一方の回転部材と当該他方の回転部材との接触圧を高める回転部材支持部材と、
を備え、
前記開閉部材が閉じられる際における、前記被押圧部および前記回転軸の位置であって、前記反対側回転部材の軸心と前記開口側回転部材の軸心とを通る平面が延びる方向における当該位置を比べた場合に、当該回転軸よりも前記開口から離れた側に当該被押圧部が位置する画像形成装置。
【請求項６】
前記回転部材支持部材は、閉じられた前記開閉部材が開かれる際に当該開閉部材により押圧されて回転し、前記一方の回転部材を前記他方の回転部材から離間させあるいは当該一方の回転部材と当該他方の回転部材との接触圧を低下させる請求項５に記載の画像形成装置。
【請求項７】
装置本体と、
記録材への画像形成を行う画像形成部と、
前記装置本体に対して開閉可能に設けられた開閉部材と、
記録材の搬送に用いられる一対の回転部材であって、離間可能にあるいは接触圧を低下させることができるように設けられた一対の回転部材と、
予め定められた箇所を中心として回転可能に設けられ、前記一対の回転部材のうちの一方の回転部材を支持し、開かれた前記開閉部材が閉じられる際に当該開閉部材により被押圧部が押圧されて回転し、当該一方の回転部材を他方の回転部材に接触させあるいは当該一方の回転部材と当該他方の回転部材との接触圧を高める回転部材支持部材と、
を備え、
前記開閉部材が閉じられている状態では、前記回転部材支持部材のうちの前記被押圧部とは異なる部位が、前記他方の回転部材に接触しており、当該他方の回転部材により当該回転部材支持部材の移動が規制され、当該規制によって、当該他方の回転部材から離れる方向への前記一方の回転部材の移動が規制される画像形成装置。
【請求項８】
前記回転部材支持部材のうち、閉じられる前記開閉部材により押圧される前記被押圧部は、面状に形成され、当該開閉部材の予め定められた押圧部位により押圧され、
前記被押圧部に対して前記押圧部位が接触する際の当該押圧部位の進行方向に対し、当該被押圧部が傾斜していることを特徴とする請求項７に記載の画像形成装置。
【発明の詳細な説明】
【技術分野】
【０００１】
本発明は、画像形成装置に関する。
【背景技術】
【０００２】
特許文献１には、上部フレームにカバーを取り付けた状態では、カバーの端部がストッパの役割を行って、両ロールの間に少しだけの隙間をあけるが、カバーを取り去った状態では、上部フレームが大きく開く構成が開示されている。
特許文献２には、加圧部材をカバー閉鎖時においても入力部より退避させて係合解除可能とした構成が開示されている。
特許文献３には、操作レバーを回動操作させ、加圧バネに抗してガイド芯部材を回動させることにより、円筒状フィルムと搬送ローラとの圧接を解除する構成が開示されている。
【先行技術文献】
【特許文献】
【０００３】
【特許文献１】特開平０４−２５７８８６号公報
【特許文献２】特開平０７−１４０８３２号公報
【特許文献３】特開平１０−１８１９３７号公報
【発明の概要】
【発明が解決しようとする課題】
【０００４】
画像形成装置では、用紙詰まりの解消のため、外装カバーなどの開閉部材の開動作に連動させて、用紙の搬送に用いられる回転部材を移動させることがある。さらに、閉じられる開閉部材に連動されて回転部材を移動させて、回転部材を元の位置に戻すことがある。
ここで、閉じられる開閉部材に連動して回転部材が移動する構成では、開閉部材の閉操作に要する操作荷重が大きくなりやすい。
本発明の目的は、開閉部材の閉操作に要する操作荷重であって、閉じられる開閉部材に連動して回転部材が移動する構成における操作荷重の低減を図ることにある。
【課題を解決するための手段】
【０００５】
請求項１に記載の発明は、開口を有する装置本体と、記録材への画像形成を行う画像形成部と、前記装置本体に対して開閉可能に設けられ、当該装置本体に対して閉じられる際に移動する移動部分を有し、前記開口を塞ぐ開閉部材と、記録材の搬送に用いられ、前記開口側に位置する開口側回転部材と当該開口側回転部材を挟み当該開口とは反対側に位置する反対側回転部材とにより構成された一対の回転部材であって、離間可能にあるいは接触圧を低下させることができるように設けられた一対の回転部材と、回転軸を中心に回転可能に設けられ、閉じられる前記開閉部材に設けられた前記移動部分の接触部が接触して当該接触部により押圧されるとともに当該接触部が接触する際の当該接触部の移動方向に対して傾斜して配置された被押圧面を有し、当該被押圧面にて当該移動部分から受けた荷重を用い、少なくとも一方の回転部材を移動させ、離間した前記一対の回転部材を接触させあるいは当該一対の回転部材の接触圧を高める回転部材移動手段と、を備え、前記開閉部材が閉じられる際における、前記被押圧面および前記回転軸の位置であって、前記反対側回転部材の軸心と前記開口側回転部材の軸心とを通る平面が延びる方向における当該位置を比べた場合に、当該回転軸よりも前記開口から離れた側に当該被押圧面が位置し、前記回転部材移動手段の上面に、前記被押圧面が設けられている画像形成装置である。
請求項２に記載の発明は、前記一対の回転部材のうちの一方の回転部材は、前記回転軸を中心として揺動可能に設けられ、前記回転部材移動手段は、前記回転軸を中心として前記一方の回転部材を移動させて、離間した前記一対の回転部材を接触させあるいは前記接触圧を高めることを特徴とする請求項１に記載の画像形成装置である。
請求項３に記載の発明は、前記回転部材移動手段は、前記開閉部材の開動作がなされる際には、当該開閉部材側から駆動力を受け、少なくとも一方の前記回転部材を移動させて、前記一対の回転部材を離間させあるいは前記接触圧を低下させることを特徴とする請求項１又は２に記載の画像形成装置である。
請求項４に記載の発明は、前記回転部材移動手段には、前記開閉部材の開動作がなされる際に当該開閉部材により一方向へ押圧される被押圧部材が設けられ、当該回転部材移動手段は、当該開閉部材の開動作がなされる際、当該被押圧部材にて前記駆動力を受け、前記被押圧部材は、前記一方向とは反対方向へ押圧された際に当該反対方向へ倒れるように変位可能に設けられていることを特徴とする請求項３に記載の画像形成装置である。
請求項５に記載の発明は、開口を有する装置本体と、記録材への画像形成を行う画像形成部と、前記装置本体に対して開閉可能に設けられ、当該装置本体に対して閉じられる際に移動する移動部分を有し、前記開口を塞ぐ開閉部材と、記録材の搬送に用いられ、前記開口側に位置する開口側回転部材と当該開口側回転部材を挟み当該開口とは反対側に位置する反対側回転部材とにより構成された一対の回転部材であって、離間可能にあるいは接触圧を低下させることができるように設けられた一対の回転部材と、回転軸を中心に回転可能に設けられ、前記一対の回転部材のうちの一方の回転部材を支持し、開かれた前記開閉部材が閉じられるのに伴い移動する前記移動部分により被押圧部が押圧されて回転し、当該一方の回転部材を他方の回転部材に接触させあるいは当該一方の回転部材と当該他方の回転部材との接触圧を高める回転部材支持部材と、を備え、前記開閉部材が閉じられる際における、前記被押圧部および前記回転軸の位置であって、前記反対側回転部材の軸心と前記開口側回転部材の軸心とを通る平面が延びる方向における当該位置を比べた場合に、当該回転軸よりも前記開口から離れた側に当該被押圧部が位置する画像形成装置である。
請求項６に記載の発明は、前記回転部材支持部材は、閉じられた前記開閉部材が開かれる際に当該開閉部材により押圧されて回転し、前記一方の回転部材を前記他方の回転部材から離間させあるいは当該一方の回転部材と当該他方の回転部材との接触圧を低下させる請求項５に記載の画像形成装置である。
請求項７に記載の発明は、装置本体と、記録材への画像形成を行う画像形成部と、前記装置本体に対して開閉可能に設けられた開閉部材と、記録材の搬送に用いられる一対の回転部材であって、離間可能にあるいは接触圧を低下させることができるように設けられた一対の回転部材と、予め定められた箇所を中心として回転可能に設けられ、前記一対の回転部材のうちの一方の回転部材を支持し、開かれた前記開閉部材が閉じられる際に当該開閉部材により被押圧部が押圧されて回転し、当該一方の回転部材を他方の回転部材に接触させあるいは当該一方の回転部材と当該他方の回転部材との接触圧を高める回転部材支持部材と、を備え、前記開閉部材が閉じられている状態では、前記回転部材支持部材のうちの前記被押圧部とは異なる部位が、前記他方の回転部材に接触しており、当該他方の回転部材により当該回転部材支持部材の移動が規制され、当該規制によって、当該他方の回転部材から離れる方向への前記一方の回転部材の移動が規制される画像形成装置である。
請求項８に記載の発明は、前記回転部材支持部材のうち、閉じられる前記開閉部材により押圧される前記被押圧部は、面状に形成され、当該開閉部材の予め定められた押圧部位により押圧され、前記被押圧部に対して前記押圧部位が接触する際の当該押圧部位の進行方向に対し、当該被押圧部が傾斜していることを特徴とする請求項７に記載の画像形成装置である。
【発明の効果】
【０００６】
請求項１の発明によれば、移動部分の移動方向に対して被押圧面が傾斜していない場合に比べ、開閉部材の閉操作に要する操作荷重であって、閉じられる開閉部材に連動して回転部材が移動する構成における操作荷重を低減できる。
請求項２の発明によれば、開閉部材が閉じられる際に開閉部材の移動方向下流側に向かって一方の回転部材が直線状に移動してこの一方の回転部材が他方の回転部材に向かう場合に比べ、開閉部材の閉操作に要する操作荷重の低減を図ることができる。
請求項３の発明によれば、開閉部材の開操作に連動させて、一対の回転部材の離間を行うことができるようになり、あるいは、一対の回転部材の接触圧を低下させられるようになる。
請求項４の発明によれば、閉じられる開閉部材が被押圧部材に接触する場合であっても、開閉部材を閉じることができるようになる。
請求項５の発明によれば、開閉部材が閉じられる際に開閉部材の移動方向下流側に向かって回転部材支持部材が直線状に移動して回転部材支持部材が他方の回転部材に向かう場合に比べ、開閉部材の閉操作に要する操作荷重の低減を図ることができる。
請求項６の発明によれば、開閉部材の開操作に連動させて、一対の回転部材の離間を行うことができるようになり、あるいは、一対の回転部材の接触圧を低下させられるようになる。
請求項７の発明によれば、回転部材支持部材の移動が他方の回転部材により規制されない場合に比べ、他方の回転部材から一方の回転部材が離れることを抑制できる。
請求項８の発明によれば、押圧部位の進行方向に対して被押圧部が傾斜していない場合に比べ、開閉部材の閉操作に要する操作荷重を低減できる。
【図面の簡単な説明】
【０００７】
【図１】画像形成装置の全体構成を示した図である。
【図２】レジストロールおよびカバー部材を拡大して示した図である。
【図３】レジストロールおよびカバー部材を拡大して示した図である。
【図４】（Ａ）〜（Ｄ）は、カバー部材がユーザにより開操作された際の各部の動きを示した図である。
【図５】（Ａ）〜（Ｃ）は、カバー部材がユーザにより閉操作された際の各部の動きを示した図である。
【図６】（Ａ）〜（Ｄ）は、押圧部材の移動経路上に被押圧部材が位置する状態にて、カバー部材が閉じられる際の各部の動きを示した図である。
【発明を実施するための形態】
【０００８】
以下、添付図面を参照して、本発明の実施形態について詳細に説明する。
図１は、本発明が適用される画像形成装置１の全体構成を示した図であり、所謂タンデム型のデジタルカラープリンタを示している。
画像形成装置１には、各色の階調データに対応して画像形成を行う画像形成部１０、記録材の一例である用紙Ｐを搬送する用紙搬送機構４０が設けられている。
また、図示しないパーソナルコンピュータ(ＰＣ)や原稿読み取り装置等に接続され、受信した画像データに対して画像処理を施す画像処理部（不図示）が設けられている。さらに、各部（各装置）の動作を制御する制御部（不図示）が設けられている。
【０００９】
画像形成部１０には、水平方向に間隔を置いて並列的に配置される、イエロー(Ｙ)、マゼンタ(Ｍ)、シアン(Ｃ)、黒(Ｋ)の４つの画像形成ユニット１１Ｙ,１１Ｍ,１１Ｃ,１１Ｋが設けられている。
また、画像形成ユニット１１Ｙ,１１Ｍ,１１Ｃ,１１Ｋの感光体ドラム１２に形成された各色のトナー像が転写される転写ユニット２０が設けられている。
【００１０】
さらに、画像形成ユニット１１Ｙ,１１Ｍ,１１Ｃ,１１Ｋに設けられた感光体ドラム１２に対してレーザ光を照射するレーザ露光器３０が設けられている。
また、転写ユニット２０から用紙Ｐ上に二次転写されたトナー像を、熱および圧力を用いてこの用紙Ｐに定着させる定着器２９が設けられている。
さらに、画像形成ユニット１１Ｙ,１１Ｍ,１１Ｃ,１１Ｋに対して供給されるトナーを収容したトナーカートリッジ１６Ｙｃ,１６Ｍｃ,１６Ｃｃ,１６Ｋｃが設けられている。
【００１１】
転写ユニット２０には、中間転写ベルト２１を駆動するドライブロール２２、中間転写ベルト２１に一定のテンションを付与するテンションロール２３、中間転写ベルト２１上のトナー像の用紙Ｐへの転写に用いられるバックアップロール２４、中間転写ベルト２１上に存在するトナー等を除去するベルトクリーナ２５が設けられている。
中間転写ベルト２１は、ドライブロール２２、テンションロール２３およびバックアップロール２４に掛け回されており、ドライブロール２２によって、矢印で示す方向へ移動する。
【００１２】
レーザ露光器３０は、図示しないレーザダイオード、変調器の他、レーザダイオードから出射されたレーザ光(ＬＢ−Ｙ,ＬＢ−Ｍ,ＬＢ−Ｃ,ＬＢ−Ｋ)を偏向走査するポリゴンミラー３１を備えている。
用紙搬送機構４０は、用紙Ｐを積載する積載部４１、積載部４１の用紙Ｐを送り出す送り出しロール４２、送り出しロール４２により送り出された用紙Ｐを１枚ずつ分離して搬送するフィードロール４３、フィードロール４３により１枚ずつに分離された用紙Ｐを二次転写位置Ｔに向けて搬送する搬送路４４を備えている。
【００１３】
また、用紙搬送機構４０には、搬送路４４上の用紙Ｐを、二次転写位置Ｔに向けてタイミングを合わせて搬送するレジストロール４５が設けられている。
さらに、二次転写位置Ｔには、バックアップロール２４に圧接して設けられ、中間転写ベルト２１上のトナー像を用紙Ｐ上に転写する二次転写ロール４６が設けられている。
更に、定着器２９によってトナー像が定着された用紙Ｐを機外に排出する排出ロール４７、排出ロール４７によって排出された用紙Ｐを積載する積載部４８が設けられている。
【００１４】
さらに、本実施形態では、各部、各装置を支持する装置本体１０Ａが設けられている。さらに、この装置本体１０Ａの側部に設けられ、装置本体１０Ａに対して開閉可能に設けられた開閉部材として機能するカバー部材１０Ｂが設けられている。
カバー部材１０Ｂは、図中下端に設けられた回転支点１０Ｃを中心に回転を行う。
【００１５】
図２、図３は、レジストロール４５およびカバー部材１０Ｂを拡大して示した図である。なお、図２は、カバー部材１０Ｂが閉じられた状態を示し、図３は、カバー部材１０Ｂが開かれた状態を示している。
【００１６】
図３に示すように、レジストロール４５には、モータ（不図示）により回転する駆動ロール４５Ａが設けられている。さらに、駆動ロール４５Ａに接触して配置され、駆動ロール４５Ａから駆動力を受けて回転する従動ロール４５Ｂが設けられている。
レジストロール４５は、このように一対の回転部材（駆動ロール４５Ａ、従動ロール４５Ｂ）により構成されている。
【００１７】
ここで、本実施形態では、図３に示すように、カバー部材１０Ｂが開けられた後、駆動ロール４５Ａ、従動ロール４５Ｂは、カバー部材１０Ｂに付随せず、装置本体１０Ａ側に残る。これにより、例えば、従動ロール４５Ｂがカバー部材１０Ｂに付随して移動する構成に比べ、駆動ロール４５Ａと従動ロール４５Ｂとの間におけるアライメントの精度が保たれやすくなる。
【００１８】
さらに、本実施形態では、支持ユニット５０が設けられている。支持ユニット５０は、回転部材移動手段、回転部材支持部材として機能し、従動ロール４５Ｂの支持を行うとともに、従動ロール４５Ｂを移動（変位）させる。
さらに、駆動ロール４５Ａに向けて従動ロール４５Ｂを付勢するコイルスプリング５１が設けられている。コイルスプリング５１は、支持ユニット５０内に収容されている。
【００１９】
さらに、支持ユニット５０を回転可能に支持する支持軸５２が設けられ、本実施形態では、この支持軸５２を中心として、支持ユニット５０が回転する。
さらに、本実施形態では、この支持ユニット５０に対して従動ロール４５Ｂが取り付けられているため、支持ユニット５０が支持軸５２を中心として回転すると、従動ロール４５Ｂが、この支持軸５２を揺動中心として揺動する。
支持軸５２は、装置本体１０Ａに対して取り付けられている。また、支持軸５２は、従動ロール４５Ｂを挟み、駆動ロール４５Ａとは反対側に設置されている。
【００２０】
図３に示すように、支持ユニット５０には、従動ロール４５Ｂよりも上方に位置し従動ロール４５Ｂの上方への移動を規制する上方規制部５０Ａ、従動ロール４５Ｂよりも下方に位置し従動ロール４５Ｂの下方への移動を規制する下方規制部５０Ｂが設けられている。
さらに、支持ユニット５０には、カバー部材１０Ｂ側に位置し、上方規制部５０Ａと下方規制部５０Ｂとを接続する接続部５０Ｃが設けられている。
【００２１】
ここで、コイルスプリング５１は、接続部５０Ｃと従動ロール４５Ｂとの間に配置されている。さらに、本実施形態では、上方規制部５０Ａの先端から下方に向かって突出した突出部５０Ｄが設けられている。
突出部５０Ｄは、カバー部材１０Ｂが閉じられると駆動ロール４５Ａに接触する（図中、駆動ロール４５Ａの左脇に位置するようになる）。これにより、本実施形態では、支持ユニット５０の移動（図中右方向へ向かう移動）が規制され、駆動ロール４５Ａから離れる方向への従動ロール４５Ｂの移動が規制される。
【００２２】
さらに、本実施形態では、被押圧部材６０が設けられている。
被押圧部材６０は、カバー部材１０Ｂの開動作がなされる際に、カバー部材１０Ｂ（の押圧部材１０Ｅ）によって、一方向（図中右方向）へ押圧される（詳細は後述）。被押圧部材６０は、回転可能に設けられ、支持軸５２を中心に回転する。
【００２３】
さらに、被押圧部材６０を図中時計回り方向に付勢する付勢部材（不図示）が設けられている。また、時計回り方向へ回転しようとする被押圧部材６０が突き当たり、この被押圧部材６０の回転を規制する規制部（不図示）が設けられている。
本実施形態では、この規制部に被押圧部材６０が突き当たることで、被押圧部材６０は、図３にて示す状態で静止する。また、被押圧部材６０は、支持軸５２を中心として、反時計回り方向への回転を行えるようになっている。被押圧部材６０が反時計回り方向へ回転すると、被押圧部材６０は倒れるようになる。
【００２４】
カバー部材１０Ｂの内面には、この内面から突出した突出片１０Ｄが設けられている。さらに、突出片１０Ｄに取り付けられ、カバー部材１０Ｂの開閉時に支持ユニット５０を押圧する押圧部材１０Ｅ（スタッド）（押圧部位）が設けられている。この押圧部材１０Ｅは、回転可能に設けられた円柱状部材により構成されている。
なお、支持ユニット５０、突出片１０Ｄ等は、レジストロール４５の軸方向における一端部および他端部の両方に設けられている。
【００２５】
図２を参照し、カバー部材１０Ｂが閉じられている場合の各部の状態を説明する。
カバー部材１０Ｂが閉じられている場合は、支持ユニット５０内に駆動ロール４５Ａが配置される。そして、この場合、駆動ロール４５Ａよりも図中左側に突出部５０Ｄが位置し、この突出部５０Ｄと従動ロール４５Ｂとにより、駆動ロール４５Ａが挟まれた状態となる。
【００２６】
付言すると、カバー部材１０Ｂが閉じられている状態では、突出部５０Ｄによって、駆動ロール４５Ａに対して従動ロール４５Ｂが寄せられ、駆動ロール４５Ａに対して従動ロール４５Ｂが押し当てられる。
また、カバー部材１０Ｂが閉じられている状態では、駆動ロール４５Ａの図中左脇に突出部５０Ｄが位置し、駆動ロール４５Ａに突出部５０Ｄが接触する。これにより、本実施形態では、支持ユニット５０の移動（図中右方向へ向かう移動）が規制され、駆動ロール４５Ａから離れる方向への従動ロール４５Ｂの移動が規制される。
【００２７】
図４（Ａ）〜（Ｄ）は、カバー部材１０Ｂがユーザにより開操作された際の各部の動きを示した図である。
カバー部材１０Ｂの開操作が行われる場合、まず、図４（Ａ）にて示すカバー部材１０Ｂの一部（例えば、上端部）がユーザにより把持され、図中右方向へ、この一部が引っ張られる。これにより、図４（Ｂ）に示すように、カバー部材１０Ｂの移動が開始される。
そして、カバー部材１０Ｂが予め定められた量だけ開かれると、図４（Ｃ）に示すように、押圧部材１０Ｅが被押圧部材６０に突き当たる。これにより、図４（Ｃ）、（Ｄ）に示すように、支持ユニット５０が時計回り方向に回転する。
【００２８】
支持ユニット５０が時計回り方向に回転すると、図４（Ｄ）に示すように、被押圧部材６０の上方を押圧部材１０Ｅが通過し、被押圧部材６０と押圧部材１０Ｅとが離間する。さらに、突出部５０Ｄが駆動ロール４５Ａの脇から外れる。また、コイルスプリング５１により押圧されている従動ロール４５Ｂが、駆動ロール４５Ａに向かわずに、斜め上方（図中、左斜め上方）に向かうようになる。
これにより、本実施形態では、駆動ロール４５Ａと従動ロール４５Ｂとの間の接触圧が低下する。
【００２９】
ここで、レジストロール４５や、レジストロール４５の上流側や下流側で、用紙Ｐの詰まりが生じることがあり、この場合、この用紙Ｐを除去する必要が生じる。
この際に、上記のように、駆動ロール４５Ａと従動ロール４５Ｂとの接触圧が低下すると、用紙Ｐの除去を行いやすくなる。
なお、本実施形態では、駆動ロール４５Ａと従動ロール４５Ｂとの接触圧を低下させる場合を一例に説明したが、駆動ロール４５Ａと従動ロール４５Ｂとを離間させてもよい。
【００３０】
次に、カバー部材１０Ｂの閉操作時の各部の動きを説明する。
図５（Ａ）〜（Ｃ）は、カバー部材１０Ｂがユーザにより閉操作された際の各部の動きを示した図である。
カバー部材１０Ｂの閉操作時には、カバー部材１０Ｂの一部がユーザにより押圧される。これにより、まず、被押圧部材６０（図４（Ｄ）参照）の上方を、押圧部材１０Ｅ（図４（Ｄ）参照）が通過する。付言すると、カバー部材１０Ｂの閉操作時、押圧部材１０Ｅの移動経路から外れた箇所に、被押圧部材６０が位置しており、押圧部材１０Ｅは、被押圧部材６０の脇を通過する。
【００３１】
その後、カバー部材１０Ｂが予め定められた量、閉じられると、図５（Ａ）に示すように、上方規制部５０Ａの上面に、押圧部材１０Ｅが接触し、この上面が押圧部材１０Ｅにより押圧される。これにより、支持ユニット５０の回転（図中、反時計回り方向への回転）が開始される。なお、本明細書では、上方規制部５０Ａの上記上面を、以下、被押圧面５０Ｆと称する。
【００３２】
カバー部材１０Ｂがさらに閉じられると、図５（Ｂ）に示すように、支持ユニット５０がさらに回転し、駆動ロール４５Ａの左側に、突出部５０Ｄが向かう。
そして、カバー部材１０Ｂがさらに閉じされると、図５（Ｃ）に示すように、駆動ロール４５Ａの左側に、突出部５０Ｄが位置するようになる。
【００３３】
ここで、本実施形態では、カバー部材１０Ｂが閉じられ、押圧部材１０Ｅが被押圧面５０Ｆを押圧する際、図５(Ａ)、(Ｂ)に示すように、押圧部材１０Ｅの進行方向５Ａに対して、被押圧面５０Ｆが傾斜した状態となっている。
【００３４】
これにより、本実施形態では、図５（Ｂ）の符号ＲＹ、符号ＲＸに示すように、カバー部材１０Ｂが支持ユニット５０側から受ける荷重のうち、カバー部材１０Ｂを上方に向けて押圧する荷重（符号ＲＹ参照）が大きくなり、カバー部材１０Ｂを水平方向に押圧する荷重（符号ＲＸ参照）が小さくなる。
これにより、本実施形態では、カバー部材１０Ｂの閉操作に要する操作荷重が小さくなる。付言すると、本実施形態では、水平方向にカバー部材１０Ｂを押圧してカバー部材１０Ｂを閉じるため、カバー部材１０Ｂの閉操作に要する操作荷重は小さくなる。
【００３５】
さらに、本実施形態では、カバー部材１０Ｂの閉操作が行われる際、駆動ロール４５Ａに向けて従動ロール４５Ｂを直線状に移動させて、駆動ロール４５Ａへの従動ロール４５Ｂの押し当てを行うのではなく、駆動ロール４５Ａの外周面の接線方向に沿うように従動ロール４５Ｂを移動させて、駆動ロール４５Ａへの従動ロール４５Ｂの押し当てを行う。かかる場合、コイルスプリング５１（図２参照）の圧縮量が小さくなり、この点からも、カバー部材１０Ｂの閉操作に要する操作荷重が小さくなる。
【００３６】
図６（Ａ）〜（Ｄ）は、押圧部材１０Ｅの移動経路上に被押圧部材６０が位置する状態にて、カバー部材１０Ｂが閉じられる際の各部の動きを示した図である。
本実施形態では、ユーザがカバー部材１０Ｂの開操作を行った後、例えば、ユーザが、手動で支持ユニット５０の操作を行うことが起こりうる。この場合、図６（Ａ）に示すように、押圧部材１０Ｅの移動経路上に被押圧部材６０が位置することが起こりうる。
【００３７】
カバー部材１０Ｂの閉操作が開始されると、図６（Ｂ）に示すように、被押圧部材６０が、押圧部材１０Ｅにより押圧されて、反時計回り方向へ回転し、被押圧部材６０は、図中左側へ倒れるようになる。これにより、押圧部材１０Ｅが、被押圧部材６０を通過する。
【００３８】
そして、カバー部材１０Ｂが完全に閉じられると、図６(Ｃ)に示すように、被押圧部材６０を超えた箇所へ押圧部材１０Ｅが達し、押圧部材１０Ｅによる被押圧部材６０の押圧が解除される。これより、図６(Ｄ)に示すように、被押圧部材６０が元の状態に復帰する（起立した状態に復帰する）。
【符号の説明】
【００３９】
１…画像形成装置、１０…画像形成部、１０Ａ…装置本体、１０Ｂ…カバー部材、１０Ｅ…押圧部材、４５…レジストロール、４５Ａ…駆動ロール、４５Ｂ…従動ロール、５０…支持ユニット、５０Ｆ…被押圧面、６０…被押圧部材、Ｐ…用紙
【図１】
0006561534.tif 000002
【図２】
0006561534.tif 000003
【図３】
0006561534.tif 000004
【図４】
0006561534.tif 000005
【図５】
0006561534.tif 000006
【図６】
0006561534.tif 000007